(57)【要約】【課題】手に洗浄液を付けることなく洗浄することができ、しかも十分な洗浄効果を得ることのできる被服洗浄具を提供する。【解決手段】基端部が円弧状部８を挟んで相互に連設されるとともに、先端部同士が互いに離反する方向に弾発付勢される一対の挟持部片６，７を備える被服洗浄具１であり、一方の挟持部片６の先端部に、該挟持部片６の長手方向と直交する方向に山部と谷部とが交互に配されてなる波形状部１０を設けるとともに、この波形状部１０に対向する他方の挟持部片７の先端部に、波形状部１０との間で被服を挟み付けて擦るための摩擦部材（スポンジ体３）を設ける構成とする。【選択図】図１
0003177012.tif 000002
【実用新案登録請求の範囲】
【請求項１】
基端部が連設されるとともに、先端部同士が互いに離反する方向に弾発付勢される一対の挟持部片を備える被服洗浄具において、
一方の挟持部片の先端部に、該挟持部片の長手方向と直交する方向に山部と谷部とが交互に配されてなる波形状部を設けるとともに、この波形状部に対向する他方の挟持部片の先端部に、前記波形状部との間で被服を挟み付けて擦るための摩擦部材を設けることを特徴とする被服洗浄具。
【請求項２】
前記摩擦部材は、スポンジ体又はブラシ体よりなり、該スポンジ体又はブラシ体が前記他方の挟持部片の本体に対して着脱可能に設けられる請求項１に記載の被服洗浄具。
【請求項３】
前記一方の挟持部片における波形状部の背面側にスポンジ体又はブラシ体が着脱可能に設けられる請求項１又は２に記載の被服洗浄具。
【考案の詳細な説明】
【技術分野】
【０００１】
本考案は、被服の襟や袖口を挟んで洗浄するようにした被服洗浄具に関するものである。
【背景技術】
【０００２】
従来、シャツやブラウス等の被服の襟や袖口の部分汚れを落とすには、汚れ部分に液体洗剤などの洗浄液を塗布して手でもみ洗いしたり、あるいは洗濯板の上に被洗浄物を載せて擦り洗いする方法が採られていた。しかし、このような洗浄方法では、両手を洗浄液中に浸けて行う必要があるため、その洗浄作業が極めて煩雑であり、また被洗浄物が傷み易いという問題点があった。
【０００３】
このような問題点を解消するものとして、特許文献１においては、Ｖ字形に保持されたトングの先端部に一対の洗浄具をそれぞれ取り付け、これら洗浄具間に被服を挟んで洗うようにした被服洗浄具が提案されている。また、特許文献２においては、同様のトング形状の染み除去装置が提案されている。
【先行技術文献】
【特許文献】
【０００４】
【特許文献１】特開２００５−３３４５９５号公報
【特許文献２】特表平１１−５１０７１４号公報
【０００５】
しかしながら、上記特許文献１に記載された被服洗浄具では、一対の洗浄具間に被服を挟んで擦るようにしており、手に洗浄液を付けずに洗浄することができるものの、一対の洗浄具が同形状のものであるために、擦り洗いの効果が十分に得られないという問題点がある。一方、上記特許文献２に記載された染み除去装置では、布のスポットクリーニングを目的とし、染みが付いた布をクリーニング組成物で濡らし、装置で把持するようにしたもので、擦り洗いの効果を得ようとするものではない。
【考案の概要】
【考案が解決しようとする課題】
【０００６】
本考案は、前述のような問題点に鑑みてなされたもので、手に洗浄液を付けることなく洗浄することができ、しかも十分な洗浄効果を得ることのできる被服洗浄具を提供することを目的とするものである。
【課題を解決するための手段】
【０００７】
前記目的を達成するために、本考案による被服洗浄具は、
基端部が連設されるとともに、先端部同士が互いに離反する方向に弾発付勢される一対の挟持部片を備える被服洗浄具において、
一方の挟持部片の先端部に、該挟持部片の長手方向と直交する方向に山部と谷部とが交互に配されてなる波形状部を設けるとともに、この波形状部に対向する他方の挟持部片の先端部に、前記波形状部との間で被服を挟み付けて擦るための摩擦部材を設けることを特徴とするものである（第１考案）。
【０００８】
本考案において、前記摩擦部材は、スポンジ体又はブラシ体よりなり、該スポンジ体又はブラシ体が前記他方の挟持部片の本体に対して着脱可能に設けられるのが好ましい（第２考案）。
【０００９】
また、前記一方の挟持部片における波形状部の背面側にスポンジ体又はブラシ体が着脱可能に設けられるのが好ましい（第３考案）。
【考案の効果】
【００１０】
第１考案の被服洗浄具によれば、一対の挟持部片間に被洗浄物の被服を挟んで該挟持部片の長手方向と直交する方向に当該被服洗浄具を移動させれば、一方の挟持部片の先端部に形成されている波形状部が洗濯板の役目をし、この波形状部と他方の挟持部片の先端部の摩擦部材との間で被洗浄物が擦り洗いされて洗浄効果を発揮することができる。こうして、手に洗浄液を付けることなく、極めて簡単な作業にて被服の襟や袖口の部分汚れの洗浄を効果的に行うことができる。
【００１１】
また、第２考案の構成によれば、スポンジ体又はブラシ体よりなる摩擦部材を付け替えたり、または新品のものと交換することができるので、より利便性が向上する。
【００１２】
また、第３考案の構成によれば、例えばスポンジ体と波形状部による擦り洗いと、ブラシ体による擦り洗いとを交互に行うなど、摩擦部材を付け替えることなく、種類の異なる摩擦部材による洗浄作業を容易に行うことができるという利点がある。
【図面の簡単な説明】
【００１３】
【図１】本考案の一実施形態に係る被服洗浄具の正面図
【図２】本実施形態の被服洗浄具の本体の斜視図
【図３】本実施形態の被服洗浄具の本体の縦断面図
【図４】本実施形態の被服洗浄具の部分拡大図（ａ）及びスポンジの側面図（ｂ）と正面図（ｃ）
【図５】本実施形態の被服洗浄具の使用状態説明図
【考案を実施するための形態】
【００１４】
次に、本考案による被服洗浄具の具体的な実施の形態について、図面を参照しつつ説明する。
【００１５】
図１には、本考案の一実施形態に係る被服洗浄具の正面図が示され、図２には、同被服洗浄具の本体の斜視図が、図３には、同被服洗浄具の本体の縦断面図がそれぞれ示されている。
【００１６】
本実施形態の被服洗浄具１は、主としてシャツやブラウス等の被服の襟や袖口の部分汚れを落とすのに用いられ、洗浄具本体２と、この洗浄具本体２の先端部に装着されるスポンジ体３及びブラシ体４よりなる摩擦部材により構成されている。
【００１７】
洗浄具本体２は、弾性変形可能な硬質の樹脂（例えば、ＡＢＳ樹脂）にて一体成型され、図２、図３に示されるように、基端部（図で下端部）に中空の円錐台形状の支持台部５が設けられるとともに、この支持台部５の頂面から上方へ向けて正面視略Ｖ字状に延びる板状の一対の挟持部片６，７が連設されて構成されている。
【００１８】
一対の挟持部片６，７は、それぞれの基端部が円弧状部８を挟んで相互に連設された形状とされている。このような形状により、トングのように挟持部片６，７の基端部を中心に手指の押圧力で先端部同士を互いに近接する方向（図３の矢印Ｃ，Ｄ参照）に回動させることができ、また、その手指の押圧力を解除すると、互いに離反する方向に弾発付勢され、図２、図３に示される開位置に保持することができる。なお、各挟持部片６，７の外側側面（背面）の中間部には、手指による押圧を容易にするために手指の当たる部分に楕円形状の凹部９が形成されている。
【００１９】
一方の挟持部片６の先端部の内側側面には、波形状部１０が一体成型により設けられている。この波形状部１０は、被洗浄物を洗浄する際に洗濯板の役目をするものであって、挟持部片６の長手方向に沿って配される互いに平行な複数の山部１０ａと、隣接する山部１０ａ間に配される互いに平行な複数の谷部１０ｂとよりなっている。言い換えれば、波形状部１０は、挟持部片６の長手方向に直交する方向に山部１０ａと谷部１０ｂとが交互に連続的に配された構成となっている。
【００２０】
また、挟持部片６における波形状部１０の背面側（外側側面）には、スポンジ体３又はブラシ体４よりなる摩擦部材を装着するための装着部１１が設けられている。この装着部１１は、図４（ａ）（図３のＥ矢視図）に示されるように、上辺及び下辺が円弧状で両側辺が直線状の形状とされ、両側辺に沿う位置に細長形状の突条部１１ａ，１１ｂが設けられるとともに、下辺に沿う位置に凸状のストッパ部１１ｃが設けられ、中央部のやや上方位置に係止凹部１１ｄが設けられた形状とされている。また、図示されていないが、上記突条部１１ａ，１１ｂの内側面には溝が形成されて、この溝に沿わせてスポンジ体３又はブラシ体４をスライドさせることができるようにされている。
【００２１】
これに対して、他方の挟持部片７の先端部については、その内側側面に、挟持部片６の外側側面と同様の、スポンジ体３又はブラシ体４よりなる摩擦部材を装着するための装着部１１が設けられており、外側側面は平坦な曲面形状とされている。
【００２２】
次に、上記装着部１１に装着するためのスポンジ体３又はブラシ体４について図４（ｂ）（ｃ）によって説明する。なお、図４（ｂ）（ｃ）では、スポンジ体３のみを図示しているが、ブラシ体４については、スポンジ体３のスポンジ部３ａがブラシ部４ａ（図１参照）に置き換わるだけで、その他の構成についてはスポンジ体３と同様である。よって、スポンジ体３を代表として説明し、ブラシ体４の詳細な説明を省略することとする。
【００２３】
上記スポンジ体３は、装着部１１と略同形同大の樹脂よりなる平板状の基板部１２の表面にスポンジ部３ａが接着されて構成されている。基板部１２の裏面には、両側辺部に、装着部１１の突条部１１ａ，１１ｂと略同形状の段下がり部１２ａ，１２ｂが形成されてそれら段下がり部１２ａ，１２ｂに挟まれた中央部に凸部１２ｃが形成され、この凸部１２ｃの側縁部が装着部１１の突条部１１ａ，１１ｂの内側面に形成された溝に嵌まり込むように構成されている。また、その突条部１２ｃの中央部のやや上方位置には、装着部１１の凹部１１ｄに嵌まり込む形状の係合突起１２ｄが設けられている。
【００２４】
本実施形態では、図１に示されるように、一方の挟持部片６の先端部の外側側面にブラシ体４が装着され、他方の挟持部片７の先端部の内側側面にスポンジ体３が装着されるようになっている。スポンジ体３又はブラシ体４を装着面に装着するには、スポンジ体３又はブラシ体４の基板部１２の凸部１２ｃを装着部１１の突条部１１ａ，１１ｂの溝に沿わせて、図１の矢印Ａ，Ｂで示されるように、挟持部片６，７の先端部側から挿入、スライドさせ、基板部１２の下縁が装着部１１の凸状のストッパ部１１ｃに当接するまで移動させると、基板部１２の係合突起１２ｄが装着部１１の係止凹部１１ｄに嵌まり込むことにより、スポンジ体３又はブラシ体４が装着部１１に固定・保持される。こうして、図１に示されるように、スポンジ体３及びブラシ体４が洗浄具本体２に装着された状態となる。
【００２５】
この被服洗浄具１を用いて被洗浄物１３を洗浄するには、図５に示されるように、片方の手で被洗浄物１３の端部等を掴んで保持した状態で、もう片方の手で被服洗浄具１の挟持部片６，７の先端部同士を手指の押圧力で互いに近接する方向に回動させて被洗浄物１３を挟み付け、矢印Ｇ方向に移動させるだけで、一方の挟持部片６の先端部に形成されている波形状部１０（図５には図示されていない）が洗濯板の役目をし、この波形状部１０と他方の挟持部片７の先端部のスポンジ体３との間で被洗浄物１３が擦り洗いされる。こうして、手に洗浄液を付けることなく、極めて簡単な作業にて被洗浄物１３の部分汚れの洗浄を効果的に行うことができる。また、被洗浄物１３の汚れの度合いに応じて、ブラシ体４による洗浄を行いたい場合には、このブラシ体４の面が被洗浄物１３側に来るように被服洗浄具１を持ち替えることで、ブラシ体４による洗浄を行うことができる。
【００２６】
また、本実施形態の被服洗浄具１によれば、基端部が円錐台形状の支持台部５により構成されているので、この支持台部５がスタンドの役目をし、不使用時には図１に示されるような状態で立てて置くことができる。したがって、保管時に安定保持されるだけでなく、設置スペースを取ることもない。
【００２７】
上述の説明では、スポンジ体３を他方の挟持部片７の内側側面に、ブラシ体４を一方の挟持部片６の外側側面にそれぞれ装着した例について説明したが、これらの装着位置については適宜選択することができ、また、必要に応じて洗浄途中でブラシ体４とスポンジ体３とを取替えて使用したり、あるいはそれらブラシ体４及びスポンジ体３を新品の交換部品と交換して使用することもできる。
【産業上の利用可能性】
【００２８】
本考案の被服洗浄具は、手に洗浄液を付けることなく、被服の襟や袖口の部分汚れの洗浄を手軽に、しかも効果的に行うことができるので、産業上の利用効果が大である。
【符号の説明】
【００２９】
１        被服洗浄具
２        洗浄具本体
３        スポンジ体
４        ブラシ体
５        支持台部
６，７    挟持部片
１０      波形状部
１１      装着部
１２      基板部
１３      被洗浄物
【図１】
0003177012.tif 000003
【図２】
0003177012.tif 000004
【図３】
0003177012.tif 000005
【図４】
0003177012.tif 000006
【図５】
0003177012.tif 000007